(57)【要約】【課題】作業エリアの照明を行いつつ、当該作業エリア内のガス濃度が所定の濃度になったとき作業者に警告を発する簡易な構成のガス検出装置を具備した照明装置を提供する。【解決手段】ガス検出装置１０が所定のガス濃度に到達したことを検出し、照明装置１の表示色を切り換え、作業者に対して作業エリア内のガス濃度が人体に有害な濃度であることを警告する。【選択図】図１
2007102694.tif 000002
【特許請求の範囲】
【請求項１】
ガス検出装置を具備した照明装置であって、
前記ガス検出装置は、所定のガス濃度を検出するガス検出部と、
前記ガス濃度の検出閾値を設定する濃度設定部と、
前記ガス検出部が検出した前記ガス濃度と前記濃度設定部に設定した検出閾値とを比較して、前記ガス濃度が前記検出閾値に到達したとき検出信号を出力する比較部とを有し、
前記照明装置は、異なる光を発する複数の光源と、
これらの光源の少なくとも一つに電源を供給する切換部とを備え、
前記切換部は、前記比較部が検出した検出信号を受けて前記光源への電源供給を切り換える切換手段を備えることを特徴とするガス検出装置を具備した照明装置。
【請求項２】
ガス検出装置を具備した照明装置であって、
前記ガス検出装置は、所定のガス濃度を検出するガス検出部と、
前記ガス濃度の検出閾値を設定する濃度設定部と、
前記ガス検出部が検出した前記ガス濃度と前記濃度設定部に設定した検出閾値とを比較して、前記ガス濃度が前記検出閾値に到達したとき検出信号を出力する比較部とを有し、
前記照明装置は、所定の場所を照明する第一の光源と、
点滅した光または回転した光を発する第二の光源と、
この第二の光源に電源を供給または切断する開閉部とを備え、
前記開閉部は、前記比較部が検出した検出信号を受けて前記第二の光源に電源を供給することを特徴とするガス検出装置を具備した照明装置。
【請求項３】
請求項１または２に記載のガス検出装置を具備した照明装置であって、
更に電源から前記切換部に至る電源供給ラインに所定の間隔を開けて配設された複数の補助光源と、
前記比較部が検出した検出信号を受けて前記電源供給ラインに配設された複数の補助光源に対し、前記切換部から電源側に向かって順次電源供給先を切り換えて前記補助光源をそれぞれ点滅させる補助切換部を備えることを特徴とするガス検出装置を具備した照明装置。
【請求項４】
前記ガス濃度は、所定の閉ざされた閉所空間における酸素ガス濃度であって、
前記濃度設定部に設定する検出閾値は、酸素欠乏状態の酸素濃度を設定するものである請求項１乃至３のいずれかに記載のガス検出装置を具備した照明装置。
【請求項５】
前記ガス検出装置は、前記照明装置と着脱自在なコネクタを介して接続されるものである請求項１乃至３のいずれかに記載のガス検出装置を具備した照明装置。
【請求項６】
前記複数の光源は、赤色ランプおよび／または紫外線ランプを含むものである請求項１または３に記載のガス検出装置を具備した照明装置。
【請求項７】
請求項６に記載のガス検出装置を具備した照明装置であって、
前記ガス検出装置が検出した前記ガス濃度が所定の前記検出閾値に到達したとき前記赤色ランプおよび／または前記紫外線ランプを点灯させるものであるガス検出装置を具備した照明装置。
【請求項８】
前記第一の光源と前記第二の光源とは、互いに異なる発光色を発するものである請求項２に記載のガス検出装置を具備した照明装置。
【発明の詳細な説明】
【技術分野】
【０００１】
本発明はガス検出装置を具備した照明装置に係り、特にマンホールや地下ピット、大形容器内等の作業エリアにおける酸素濃度が酸欠状態や有毒ガス濃度が所定の濃度になったとき、当該作業エリアで作業する作業者に対して危険を喚起するガス検出装置を具備した照明装置に関する。
【背景技術】
【０００２】
従来、マンホールや地下ピット、大形容器内等での保守・点検、工事等に先だってまたは作業中に作業者の安全を確保すべく当該作業エリアにおけるガス濃度を検出することが行われている。これは、上記作業エリア内では酸素欠乏や有毒ガス発生の虞があり、人命に関わるため事故防止対策が重要となっていることによる。
【０００３】
この種の事故防止対策を行うべくなされた発明として、酸欠等を防止する作業環境管理システムが知られている（例えば、特許文献１参照）。この作業環境管理システムは作業エリア内で従事する作業者の酸素欠乏症や有毒ガス中毒を防止するべくなされたものであり、作業エリア内の酸素濃度や有毒ガス量が所定の濃度になったとき、作業エリア内に清浄空気を放出すると共に、作業者に対して警告を発するよう構成されている。
【０００４】
ちなみに上述した作業エリアは、一般に暗所であることが多い。このため作業者は、当該作業エリアに照明装置を設置して作業を行っている。
【特許文献１】特開２００４−９４８６３号公報
【発明の開示】
【発明が解決しようとする課題】
【０００５】
しかしながら、一般に作業中のガス濃度の測定は断続的であり、作業エリア内の酸素濃度や有毒ガス濃度を連続的に監視できないという問題があった。一方、前述した作業環境管理システムは、作業エリア内の酸素濃度や有毒ガス濃度を連続的に監視することができる反面、酸素濃度や有毒ガス量を検出するガスモニタの他に、作業エリア内に清浄な空気を放出する清浄空気供給手段、作業エリア内に入場する人を検知する対人検出手段、警告や指示を発生する音声検出手段、これらの前記ガスモニタ、清浄空気供給手段、対人検出手段及び音声発生手段が接続されると共に、前記各手段を制御する制御部を有するローカルコンソールを必要としている。このため、作業環境管理システムが大がかりなものとなってしまうという問題がある。
【０００６】
本発明は、このような事情に対処すべくなされたものであり、その目的は、作業エリアの照明を行いつつ、当該作業エリア内のガス濃度が所定の濃度になったとき作業者に警告を発する簡易な構成のガス検出装置を具備した照明装置を提供することにある。
【課題を解決するための手段】
【０００７】
上述した目的を達成すべく本発明に係るガス検出装置を具備した照明装置は、ガス検出装置を具備した照明装置であって、
前記ガス検出装置は、所定のガス濃度を検出するガス検出部と、前記ガス濃度の検出閾値を設定する濃度設定部と、前記ガス検出部が検出した前記ガス濃度と前記濃度設定部に設定した検出閾値とを比較して、前記ガス濃度が前記検出閾値に到達したとき検出信号を出力する比較部とを有し、
前記照明装置は、異なる光を発する複数の光源と、これらの光源の少なくとも一つに電源を供給する切換部とを備え、
前記切換部は、前記比較部が検出した検出信号を受けて前記光源への電源供給を切り換える切換手段を備えることを特徴としている。
【０００８】
上述のガス検出装置を具備した照明装置は、検出対象領域として例えば作業エリア内において酸素濃度が酸欠状態や有毒ガス濃度が所定の濃度になったとき、作業者に対して通常と異なる発光色を放射する照明に切り換えて作業者に警告を発することができる。
【０００９】
また本発明に係るガス検出装置を具備した照明装置は、ガス検出装置を具備した照明装置であって、
前記ガス検出装置は、所定のガス濃度を検出するガス検出部と、前記ガス濃度の検出閾値を設定する濃度設定部と、前記ガス検出部が検出した前記ガス濃度と前記濃度設定部に設定した検出閾値とを比較して、前記ガス濃度が前記検出閾値に到達したとき検出信号を出力する比較部とを有し、
前記照明装置は、所定の場所を照明する第一の光源と、この光源と異なる光色により点滅した光または回転した光を発する第二の光源と、この第二の光源に電源を供給または切断する開閉部とを備え、
前記開閉部は、前記比較部が検出した検出信号を受けて前記第二の光源に電源を供給することを特徴としている。
【００１０】
好ましくは、前記第一の光源と前記第二の光源とは互いに異なる発光色を発するよう構成することが望ましい。
【００１１】
上述のガス検出装置を具備した照明装置は、検出対象領域として例えば作業エリア内において酸素濃度が酸欠状態や有毒ガス濃度が所定の濃度になったとき、作業者に対して例えば所定の周期で点滅を繰り返すフラッシュライトや赤色回転灯などによって作業者に警告を発することができる。
【００１２】
より好ましくは、更に電源から前記切換部に至る電源供給ラインに所定の間隔を開けて配設された複数の補助光源と、前記比較部が検出した検出信号を受けて前記電源供給ラインに配設された複数の補助光源に対し、前記切換部から電源側に向かって順次電源供給先を切り換えて前記補助光源をそれぞれ点滅させる補助切換部を備えることが望ましい。
【００１３】
上述のガス検出装置を具備した照明装置は、例えば作業エリア内に作業者が入出する入出扉を介して電源ケーブルにより照明装置駆動用の電源が供給される。そして作業エリア内のガス濃度が所定の濃度になったとき、この電源ケーブルに所定の間隔を開けて配設された複数の補助光源が、照明装置側から電源側に向かって順次点灯させる。このため作業エリア内で作業する作業者は、容易に入出扉の方向を認知でき、速やかに当該作業エリア外に退出できる。
【００１４】
また前記ガス濃度は、所定の閉ざされた閉所空間における酸素ガス濃度であって、前記濃度設定部に設定する検出閾値は、酸素欠乏状態の酸素濃度を設定するものとして構成される。
【００１５】
上述のガス検出装置を具備した照明装置は、作業エリア内で酸素濃度が低下し、酸欠状態となったとき当該作業エリアの作業者に対して照明装置の発光色を変えて警告する。
【００１６】
好ましくは前記ガス検出装置は、前記照明装置と着脱自在なコネクタを介して接続されるものとして構成することが望ましい。
【００１７】
上述した構成をとるガス検出装置を具備した照明装置は、照明装置に検出対象領域である例えば作業エリア内における検出対象のガスに応じたガス検出装置を装着することができる。
【００１８】
また前記複数の光源は、赤色ランプおよび／または紫外線ランプを含むものとし、前記ガス検出装置が検出した前記ガス濃度が所定の前記検出閾値に到達したとき前記赤色ランプおよび／または前記紫外線ランプを点灯させるよう構成される。
【００１９】
上述したガス検出装置を具備した照明装置は、作業エリア内の検出対象のガス濃度が所定の検出閾値に到達したとき赤色ランプの点灯により作業者に警告を発することができる。また、あらかじめ作業エリア内に紫外線の照射によって発光する塗料等を用いて避難場所の方向を示す矢印等を明示しておけば、作業エリア内の検出対象のガス濃度が所定の検出閾値に到達したとき発光する紫外線ランプによって作業者に避難場所を示すことができる。
【発明の効果】
【００２０】
このように本発明のガス検出装置を具備した照明装置によれば、前記ガス濃度が所定の検出閾値に到達したとき検出信号を出力するガス検出装置が照明装置に取り付けられている。また照明装置は、前記が検出装置のガス検出信号を受けて照明色を変えたり、点灯方法を変えている。このため検出対象領域として例えば作業エリア内において酸素濃度が酸欠状態や有毒ガス濃度が所定の濃度になったとき、作業者に対して通常と異なる発光色を放射する照明に切り換えたり、点滅または回転する光によって作業者に警告を発することができる。
【００２１】
また、電源から前記切換部に至る電源供給ラインに所定の間隔を開けて複数の補助光源を配設すると共に、この補助光源を前記比較部が検出した検出信号を受けて前記切換部から電源側に向かって順次電源供給先を切り換えている。このため作業エリア内のガス濃度が所定の濃度に到達したときであっても作業者が容易に入出扉の方向を認知でき、速やかに当該作業エリア外に退出することが可能となるという優れた効果を奏し得る。
【発明を実施するための最良の形態】
【００２２】
以下、本発明における第一の実施形態に係るガス検出装置を具備した照明装置について図面を参照しながら説明する。図１は本発明の一実施形態に係るガス検出装置の概略構成を示すブロック図であり、この図によって本発明が限定されるものではない。
【００２３】
図１において１および１０は、それぞれ照明装置および所定のガス濃度を検出するガス検出装置である。照明装置１は、異なる色を発する複数の表示灯（光源）２を備える。この表示灯２は、通常時、作業エリア内を照明する白色表示灯２ａおよびガス検出装置１０が検出したガス濃度が所定の濃度になったときに赤色を発する赤色表示灯２ｂからなっている。また照明装置１には、後述するガス検出装置１０からの検出信号を受けて、白色表示灯２ａまたは赤色表示灯２ｂのいずれか一方に切り換えて電源を供給する切換部３が設けられている。この切換部３は、図示しない電源装置やコンセント等の電源から電力を供給する電源ケーブル４が接続されて、表示灯２への電源供給を切り換える役割を担う。
【００２４】
一方、所定のガス濃度を検出するガス検出装置１０には、検出対象のガスの濃度を計測するガスセンサ１１が設けられている。このガスセンサ１１は、例えば検出対象ガスが酸素である場合は、酸素（Ｏ２）センサが用いられる。或いは検出対象ガスが人体に有毒なガス（例えば、硫化水素、メタンガス、一酸化炭素等）である場合、これら検出対象ガスのガス濃度を計測可能なガスセンサ１１が適用される。またガス検出装置１０は、前記ガスセンサ１１が検出したガス濃度が、人体に影響を及ぼす虞があるガス濃度を検出閾値として設定する濃度設定部１２を備えている。この濃度設定部１２に設定するガス濃度は、前記検出対象ガスが酸素であってガス濃度の測定場所の酸素濃度が酸素欠乏状態になったかどうかを検出する場合、検出閾値として例えば酸素濃度［１８％］を設定する。勿論、前述したガスセンサ１１が複数の異なる種類のガスに対するガス濃度を検出することができる場合、濃度設定部１２は、それぞれのガスが人体に影響を及ぼすガス濃度を検出閾値としてそれぞれ設定する。
【００２５】
またガス検出装置１０は、上述したガスセンサ１１が検出したガス濃度が、前記濃度設定部１２に予め設定された検出閾値に到達していないかどうかを調べ、その結果、ガス濃度が検出閾値に到達した場合、検出信号を出力する比較部１３を備える。この比較部１３の検出信号は、前述した照明装置１の切換部３に与えられて表示灯２への電源供給先を切り換える役割を担っている。詳しくはこの比較部１３は、例えば作業エリア内が酸欠状態であるかどうかを調べる場合、ガスセンサ１１が計測した酸素濃度が濃度設定部１２に設定した検出閾値（例えば、１８％）を下回ったとき比較部１３は、検出信号を出力する。或いは、作業エリア内の可燃性ガス濃度を調べる場合、ガスセンサ１１が計測した可燃性ガス濃度が濃度設定部１２に設定した検出閾値を上回ったとき比較部１３は、検出信号を出力する。
【００２６】
尚、ガス検出装置１０は、前記照明装置１と着脱自在なコネクタ１４を介して接続される。つまり比較部１３の信号は、コネクタ１４を介して照明装置１の切換部３に与えられる。即ち、コネクタ１４は、照明装置１およびガス検出装置１０のそれぞれに設けられて、それぞれのコネクタ１４が互いに勘合することによって比較部１３の信号が切換部３に与えられるようになっている。
【００２７】
概略的には上述したように構成された本発明のガス検出装置を具備した照明装置が特徴とするところは、ガスセンサ１１が検出したガス濃度が濃度設定部１２に設定した検出閾値に到達したとき、表示灯２の表示色を変化させて作業者に対し、警告を通知する点、照明装置１とガス検出装置１０とがコネクタ１４を介して勘合し、比較部１３の信号を切換部３に与える点にある。
【００２８】
このような特徴ある本発明における第一の実施形態に係るガス検出装置を具備した照明装置によれば、照明装置１によって作業エリアを照明すると共に、ガス検出装置１０によって当該作業エリアにおける所定のガス濃度をリアルタイムに検出し、このガス濃度が予め設定した検出閾値に到達したとき、赤色表示灯２ｂに切り換えている。このため本発明のガス検出装置を具備した照明装置は、作業者に作業エリアのガス濃度が人体に対して有害な濃度に達したことを警告することができる。
【００２９】
また本発明における第一の実施形態に係るガス検出装置を具備した照明装置は、照明装置１とガス検出装置１０とをコネクタ１４を介して勘合するようにしているので、所望の検出ガスに応じてガス検出装置１０を取り替えればよい。つまり、ガス検出装置１０は、照明装置１に交換して取り付け可能なモジュール構造をとっている。このため対象検出するガスを任意に選択することが可能であると共に、必要に応じた検出精度を備えるガス検出装置１０を選択することが可能である。したがって、不必要に精度の高いガス検出装置１０を使うことなく、低コストでガス検出装置を具備した照明装置を実現することが可能である。
【００３０】
尚、上述した照明装置１の切換部３は、ガス検出装置１０から出力された検出信号を受けて、所定のタイミングで表示灯２ａ，２ｂを交互に切り換えてもよい。この場合は、より効果的に作業者に対して作業エリアのガス濃度が人体に対して有害な濃度に達したことを警告することができる。勿論、赤色表示灯２ｂに代えて紫外線ランプを用い、作業エリアのガス濃度が人体に対して有害な濃度に達したときのみ点灯するように構成してもよい。この場合は、あらかじめ作業エリア内に紫外線の照射によって発光する塗料等を用いて避難場所の方向を示す矢印等を明示しておけば、作業者に避難場所を示すことができる。また、作業指示書や作業服に紫外線を受けて現れる塗料を塗布しておけば、作業者は、作業エリアのガス濃度が人体に対して有害な濃度に達したことを知ることも可能である。
【００３１】
また本発明のガス検出装置を具備した照明装置は、上述した第一の実施形態他、種々変形して実施することができる。例えば図２は、本発明に係るガス検出装置を具備した照明装置における第二の実施形態につき、その概略構成を示すブロック図である。この図において上述した実施形態と同機能を有する部位については同符号を付し、その説明を省略する。
【００３２】
この第二の実施形態が上述した第一の実施形態と異なる点は、例えば作業エリア内を照明する表示灯（第一の光源）２ａの他に、点滅した光または回転した光を発する警告表示灯（第二の光源）２ｃを備える点にある。この警告表示灯２ｃは、例えば赤色回転灯や所定の周期で点滅を繰り返すフラッシュライトである。この警告表示灯２ｃは、ガス検出装置１０の比較部１３が出力する出力信号を受けて電源ライン４を介して供給を受ける電源を与える開閉部６により制御される。
【００３３】
このような本発明における第二の実施形態に係るガス検出装置を具備した照明装置によれば、照明装置１によって作業エリアを照明すると共に、ガス検出装置１０によって当該作業エリアにおける所定のガス濃度をリアルタイムに検出し、このガス濃度が予め設定した検出閾値に到達したとき、警告表示灯２ｃが点灯する。このため本発明のガス検出装置を具備した照明装置は、作業者に作業エリアのガス濃度が人体に対して有害な濃度に達したことを例えば例えば赤色回転灯や所定の周期で点滅を繰り返すフラッシュライトによって警告することができる。
【００３４】
また本発明における第二の実施形態に係るガス検出装置を具備した照明装置は、上述した第一の実施形態と同様に照明装置１とガス検出装置１０とをコネクタ１４を介して勘合するようにしているので、所望の検出ガスに応じてガス検出装置１０を取り替えればよい。このため対象検出するガスを任意に選択することが可能であると共に、必要に応じた検出精度を備えるガス検出装置１０を選択することが可能である。したがって、無用に精度の高いガス検出装置１０を使う必要がなく、低コストで実現することが可能である。
【００３５】
次に本発明に係るガス検出装置を具備した照明装置における第三の実施形態につき、その概略構成を示す図３のブロック図を用いて説明する。この図において上述した実施形態と同機能を有する部位については同符号を付し、その説明を省略する。
【００３６】
この第三の実施形態が上述した第一および第二の実施形態と異なる点は、複数の表示灯２ｄを設け、ガス検出装置１０から出力される検出信号を受けて複数の表示灯２ｄの表示を切り換える補助切換部を備える点にある。この表示灯２ｄは、例えば作業エリア内のガス濃度が人体に対して有害なレベルに到達したとき、作業エリアから避難口へ誘導するものである。具体的には、作業エリアから避難口までの間、複数の表示灯２ｄを配設しておく。この複数の表示灯２ｄは、補助切換部３ａの切換え動作によって作業エリア側の表示灯２ｄから避難口側の表示灯２ｄに向かって順次点灯するようになっている。そしてガス検出装置１０が、作業エリア内のガス濃度が人体に対して有害なレベルになったとき、比較部１３の検出信号を補助切換部３ａに与え、作業エリア側の表示灯２ｄから避難口側の表示灯２ｄに向かって順次点灯させる。
【００３７】
かくしてこのように構成された本発明における第三の実施形態に係るガス検出装置を具備した照明装置は、作業エリア内におけるガス濃度が人体に対して有害なレベルになったとき作業エリア側の表示灯２ｄから避難口側の表示灯２ｄに向かって順次点灯させているので、作業者を避難口に確実に誘導することができる。或いは、地下鉄構内や地下街等にこの第三の実施形態を適用してもよい。この場合、検出対象のエリア（地下鉄構内、地下街等）における所定のガスのガス濃度が人体に対して有害なレベルになったとき当該エリアに存在する人を確実に避難口に誘導することが可能である。
【００３８】
また図４に示すように本発明に係るガス検出装置を具備した照明装置は、前述した第一または第二の実施形態と、第三の実施形態を組み合わせて実施することも可能である。この場合、作業エリア５内には、前述した第一の実施形態のガス検出装置を具備した照明装置に至る電源ケーブル４に複数の表示灯２ｄを所定の間隔を開けて配設すればよい。そしてガス検出装置１０が、作業エリア内におけるガス濃度が人体に対して有害なレベルになったとき照明装置１の表示色を切り換えると共に、電源ケーブル４に設けた複数の表示灯２ｄが作業エリア５内から出入口７に向かって順次点灯させる。
【００３９】
かくしてこのように構成した本発明の第三の実施形態に係るガス検出装置を具備した照明装置によれば、作業エリア５内におけるガス濃度が人体に対して有害なレベルになったとき作業者に対して警告するとともに、出入口７（避難口）に作業者を確実に誘導することができる。
【００４０】
その他、本発明のガス検出装置を具備した照明装置は、上記した実施の形態に限定されるものではなく、本発明の要旨を逸脱しない範囲内において種々変更を加え得ることは勿論可能である。
【図面の簡単な説明】
【００４１】
【図１】本発明の第一の実施形態に係るガス検出装置を具備した照明装置の概略構成を示す図。
【図２】本発明の第二の実施形態に係るガス検出装置を具備した照明装置の概略構成を示す図。
【図３】本発明の第二の実施形態に係るガス検出装置を具備した照明装置の概略構成を示す図。
【図４】本発明の第一または第二の実施形態と、第三の実施形態を組み合わせたガス検出装置を具備した照明装置の概略構成を示す図。
【符号の説明】
【００４２】
１    照明装置
２    表示灯
３    切換部
４    電源ケーブル
１０    ガス検出装置
１１    ガスセンサ
１２    濃度設定部
１３    比較部
１４    コネクタ
【図１】
2007102694.tif 000003
【図２】
2007102694.tif 000004
【図３】
2007102694.tif 000005
【図４】
2007102694.tif 000006